(57)【要約】【課題】メッセージを複数の使用者に伝送する場合、一人の使用者が他の一人の使用者にメッセージを伝送し、該メッセージの伝送を受けた一人の使用者がそのメッセージを又他の一人の使用者に伝送することで、複数の使用者間に前記メッセージをリレー伝送し得る移動通信端末機のメッセージリレー伝送方法を提供する。【解決手段】メッセージの内容を入力する過程と、複数の着信電話番号を入力する過程と、リレー伝送を選択する過程と、メッセージを前記着信電話番号中の任意の電話番号にリレー伝送する過程と、を順次行うことでメッセージをリレー伝送する。【選択図】図２
2004350277.tif 000002
【特許請求の範囲】
【請求項１】
メッセージの内容を入力する過程と、
複数の着信電話番号を入力する過程と、
リレー伝送を選択する過程と、
メッセージを前記着信電話番号中の任意の電話番号にリレー伝送する過程と、
を順次行うことを特徴とする移動通信端末機のメッセージリレー伝送方法。
【請求項２】
前記任意の電話番号は、最初入力された着信電話番号を含むことを特徴とする請求項１記載の移動通信端末機のメッセージリレー伝送方法。
【請求項３】
前記メッセージは、
ユーザデータフィールドに開始タグ及び終了タグが含まれ、それら開始タグと終了タグ間に前記複数の着信電話番号が入力され、前記終了タグの後に前記メッセージの内容が入力されることを特徴とする請求項１記載の移動通信端末機のメッセージリレー伝送方法。
【請求項４】
前記複数の着信電話番号及びメッセージの内容を一つのメッセージフォーマットに保存することができないとき、複数のメッセージに保存されることを特徴とする請求項１記載の移動通信端末機のメッセージリレー伝送方法。
【請求項５】
前記複数のメッセージの各ヘッダーには、メッセージ全体の個数及び現在メッセージの番号が含まれることを特徴とする請求項４記載の移動通信端末機のメッセージリレー伝送方法。
【請求項６】
前記リレー伝送の選択は、
移動通信端末機のキーパッドに具備された特定のキー及びメニュー上のソフトキー中何れか一つを利用して行われることを特徴とする請求項１記載の移動通信端末機のメッセージリレー伝送方法。
【請求項７】
前記リレー伝送過程は、
前記任意の電話番号を目的地アドレスフィールドに保存する過程と、
前記複数の着信電話番号中、前記任意の電話番号を除いた残りの着信電話番号を、ユーザデータフィールドの開始タグと終了タグ間に保存する過程と、
前記入力されたメッセージの内容を前記終了タグの後に保存する過程と、
前記目的地アドレスフィールド及びユーザデータフィールドが記録された前記メッセージを伝送する過程と、
を行うことを特徴とする請求項１記載の移動通信端末機のメッセージリレー伝送方法。
【請求項８】
前記メッセージは、
音声メッセージ（Ｖｏｉｃｅ  Ｍｅｓｓａｇｅ）、短文メッセージ（Ｓｈｏｒｔ  Ｍｅｓｓａｇｅ）、長文メッセージ（Ｌｏｎｇ  Ｍｅｓｓａｇｅ）、単一メディアメッセージ（Ｅｎｈａｎｃｅｄ  Ｍｅｓｓａｇｅ）及びマルチメディアメッセージ（Ｍｕｌｔｉｍｅｄｉａ  Ｍｅｓｓａｇｅ）中何れか一つを含むことを特徴とする請求項１記載の移動通信端末機のメッセージリレー伝送方法。
【請求項９】
第１メッセージを受信する過程と、
前記第１メッセージがリレー伝送されたメッセージであるかを確認する過程と、
該確認結果、リレー伝送されたメッセージであるとき、複数の着信端末機中何れか一つに第２メッセージを伝送する過程と、
を順次行うことを特徴とする移動通信端末機のメッセージリレー伝送方法。
【請求項１０】
前記確認する過程は、
前記第１メッセージのユーザデータフィールドに開始タグが存在するかを確認する過程と、
前記ユーザデータフィールドに開始タグが存在するとき、前記第１メッセージをリレー伝送されたメッセージと判断する過程と、
前記ユーザデータフィールドに開始タグが存在しないとき、前記第１メッセージを一般伝送されたメッセージと判断する過程と、
を行うことを特徴とする請求項９記載の移動通信端末機のメッセージリレー伝送方法。
【請求項１１】
前記第１及び第２メッセージは、
ユーザデータフィールドに開始タグ及び終了タグが含まれ、それら開始タグと終了タグ間に複数の着信端末機の電話番号が入力され、前記終了タグの後にメッセージの内容が入力されることを特徴とする請求項９記載の移動通信端末機のメッセージリレー伝送方法。
【請求項１２】
前記各電話番号間には、区分子が存在することを特徴とする請求項１１記載の移動通信端末機のメッセージリレー伝送方法。
【請求項１３】
前記伝送する過程は、
前記第１メッセージに含まれた前記複数の着信端末機の電話番号中の任意の一つを前記第２メッセージの目的地アドレスフィールドに保存する過程と、
前記任意の一つを除いた電話番号を前記第２メッセージのユーザデータフィールドの開始タグと終了タグ間に保存する過程と、
前記第１メッセージの内容を、前記第２メッセージのユーザデータフィールドの終了タグの後に保存する過程と、
前記第２メッセージを前記目的地アドレスフィールドに該当する着信端末機に伝送する過程と、
を行うことを特徴とする請求項１１記載の移動通信端末機のメッセージリレー伝送方法。
【請求項１４】
前記第２メッセージの伝送は、使用者からリレー伝送命令の入力を受けたとき行われることを特徴とする請求項９記載の移動通信端末機のメッセージリレー伝送方法。
【請求項１５】
前記第１メッセージがリレー伝送されたメッセージであることが確認されると、使用者のリレー伝送命令なしに、前記第２メッセージの生成及びリレー伝送が自動的に行われることを特徴とする請求項９記載の移動通信端末機のメッセージリレー伝送方法。
【請求項１６】
前記第１メッセージのユーザデータフィールドの開始タグと終了タグ間に着信端末機の電話番号が存在しないとき、前記第２メッセージのリレー伝送を終了する過程を更に行うことを特徴とする請求項１３記載の移動通信端末機のメッセージリレー伝送方法。
【請求項１７】
前記任意の一つは、前記複数の着信端末機の電話番号中、最初の電話番号を含むことを特徴とする請求項１１記載の移動通信端末機のメッセージリレー伝送方法。
【請求項１８】
メッセージ内容確認命令が入力されると、前記第１メッセージのユーザデータフィールドの終了タグの後に保存されたメッセージの内容をディスプレーする過程を更に行うことを特徴とする請求項９記載の移動通信端末機のメッセージリレー伝送方法。
【請求項１９】
伝達者目録確認命令が入力されると、前記第１メッセージのユーザデータフィールドの開始タグと終了タグ間に保存された電話番号をディスプレーする過程を更に行うことを特徴とする請求項９記載の移動通信端末機のメッセージリレー伝送方法。
【請求項２０】
前記第１及び第２メッセージは、
音声メッセージ、短文メッセージ、長文メッセージ、単一メディアメッセージ及びマルチメディアメッセージを含むことを特徴とする請求項９記載の移動通信端末機のメッセージリレー伝送方法。
【請求項２１】
リレー伝送のための複数の着信電話番号の開始を表示するための開始タグ、前記複数の着信電話番号、それら複数の着信電話番号の終了を表示するための終了タグ、及び該終了タグの後に保存されるメッセージの内容からなるユーザデータフィールドと、
目的地アドレスフィールドと、
を含んで構成されることを特徴とする移動通信端末機のリレー伝送サービスのためのメッセージ。
【請求項２２】
前記ユーザデータフィールドは、前記開始タグと前記終了タグ間に位置されて、前記各着信電話番号を区分するための区分子が更に含まれることを特徴とする請求項２１記載の移動通信端末機のリレー伝送サービスのためのメッセージ。
【請求項２３】
前記複数の着信電話番号は、
リレー伝送される度毎に一つずつ削除されることを特徴とする請求項２１記載の移動通信端末機のリレー伝送サービスのためのメッセージ。
【請求項２４】
前記目的地アドレスフィールドは、
リレー伝送される度毎に前記複数の着信電話番号中何れか一つが保存されることを特徴とする請求項２３記載の移動通信端末機のリレー伝送サービスのためのメッセージ。
【発明の詳細な説明】
【技術分野】
【０００１】
本発明は、移動通信端末機のメッセージリレー伝送方法に関するものである。
【背景技術】
【０００２】
最近展開されているマルチメディア時代には、音声だけでなく映像及びグラフィックのような多量の映像データを高速に無線送受信し得るマルチメディア端末機が用いられ、これに関する研究が活発に進行されている。
【０００３】
前記マルチメディア移動通信端末機は、音声通話だけでなく、各種のメッセージ伝送機能、例えば、ＳＭＳ（Ｓｈｏｒｔ  Ｍｅｓｓａｇｅ  Ｓｅｒｖｉｃｅ）、ＬＭＳ（Ｌｏｎｇ  Ｍｅｓｓａｇｅ  Ｓｅｒｖｉｃｅ）、ＥＭＳ（Ｅｎｈａｎｃｅｄ  Ｍｅｓｓａｇｅ  Ｓｅｒｖｉｃｅ）及びＭＭＳ（Ｍｕｌｔｉｍｅｄｉａ  Ｍｅｓｓａｇｅ  Ｓｅｒｖｉｃｅ）機能を全て備えている。前記ＳＭＳは、移動通信加入者間に短いメッセージを送受信するサービスで、前記ＬＭＳは、移動通信加入者間に長いメッセージを送受信するサービスで、前記ＥＭＳは、音声ファイル、ピクセル画像ファイル及びフォーマット化されたテキストファイルを送受信するサービスで、前記ＭＭＳは、音楽及び音声ファイル、停止画像及び動映像ファイル、テキストファイル、並びにアニメーションファイルなどが添付されるメッセージサービスである。
【０００４】
ここで、伝達すべき内容が簡単な場合や音声通話が不可能な場合は、音声通話サービスよりはメッセージ伝達サービスがより便利且つ廉価であるため、その使用が増加しつつある。
【０００５】
また、複数の移動通信端末機にメッセージを伝達するための一般の方法としては、同報伝送方法がある。
【０００６】
前記同報伝送方法において、移動通信端末機は、メッセージを入力し、該メッセージを伝送すべき複数の移動通信端末機の電話番号を入力した後、各移動通信端末機に前記メッセージを同時伝送する。よって、このような同報伝送方法は、同一のメッセージを複数の移動通信端末機に同時伝送する場合に使用者に便利を提供する。
【特許文献１】韓国特許出願公開第２００１−０１１０４９５号明細書
【特許文献２】韓国特許出願公開第２００２−００３７７８９号明細書
【特許文献３】特開２００２−２９８００６号公報
【特許文献４】米国特許第５４８５６３３号明細書
【発明の開示】
【発明が解決しようとする課題】
【０００７】
然るに、このような一般のメッセージ伝送サービスに対する課金方式においては、メッセージ発信者がメッセージの伝送件数によってサービス利用料金を支払わなければならないため、前記同報伝送方法のように受信者が複数の場合は、発信者の費用負担が増大するという不都合な点があった。
【０００８】
また、メッセージ発信者が情報提供者の場合、発信者が受信者に有用な情報を提供するにもかかわらず、発信者が情報提供数によって課金しなければならないという不都合な点があった。
【０００９】
従って、メッセージ発信者にサービス利用料金を負担させる方法とは異なって、メッセージ発信者から有用な情報の提供を受ける受信者に課金する新しい概念の課金処理方法及びそのシステムが要求されている。
【００１０】
本発明は、このような従来の課題に鑑みてなされたもので、メッセージを複数の使用者に伝送する場合、一人の使用者が他の一人の使用者にメッセージを伝送し、該メッセージの伝送を受けた一人の使用者がそのメッセージを又他の一人の使用者に伝送することで、複数の使用者間に前記メッセージをリレー伝送し得る移動通信端末機のメッセージリレー伝送方法を提供することを目的とする。
【００１１】
また、本発明の他の目的は、複数の使用者にメッセージを伝送する場合、複数の使用者間に前記メッセージをリレー伝送することで、各使用者にサービス利用料金を分配し得るメッセージリレー伝送方法を提供することにある。
【課題を解決するための手段】
【００１２】
このような目的を達成するため、本発明に係る移動通信端末機のメッセージリレー伝送方法は、メッセージの内容を入力する過程と、複数の着信電話番号を入力する過程と、リレー伝送を選択する過程と、メッセージを前記着信電話番号中の任意の電話番号にリレー伝送する過程と、を順次行うことを特徴とする。
【００１３】
また、前記任意の電話番号は、最初入力された着信電話番号を含むことを特徴とする。
【００１４】
また、前記メッセージは、ユーザデータフィールドに開始タグ及び終了タグが含まれ、それら開始タグと終了タグ間に前記複数の着信電話番号が入力され、前記終了タグの後に前記メッセージの内容が入力されることを特徴とする。
【００１５】
また、前記複数の着信電話番号及びメッセージの内容を一つのメッセージフォーマットに保存することができないとき、複数のメッセージに保存されることを特徴とする。
【００１６】
また、前記複数のメッセージの各ヘッダーには、メッセージ全体の個数及び現在メッセージの番号が含まれることを特徴とする。
【００１７】
また、前記リレー伝送過程は、前記任意の電話番号を目的地アドレスフィールドに保存する過程と、前記複数の着信電話番号中、前記任意の電話番号を除いた残りの着信電話番号を、ユーザデータフィールドの開始タグと終了タグ間に保存する過程と、前記入力されたメッセージの内容を前記終了タグの後に保存する過程と、前記目的地アドレスフィールド及びユーザデータフィールドが記録された前記メッセージを伝送する過程と、を行うことを特徴とする。
【００１８】
そして、本発明に係る移動通信端末機のメッセージリレー伝送方法は、第１メッセージを受信する過程と、前記第１メッセージがリレー伝送されたメッセージであるかを確認する過程と、リレー伝送されたメッセージであるとき、複数の着信端末機中何れか一つに第２メッセージを伝送する過程と、を順次行うことを特徴とする。
【００１９】
また、前記確認する過程は、前記第１メッセージのユーザデータフィールドに開始タグが存在するかを確認する過程と、前記ユーザデータフィールドに開始タグが存在するとき、前記第１メッセージをリレー伝送されたメッセージと判断する過程と、前記ユーザデータフィールドに開始タグが存在しないとき、前記第１メッセージを一般伝送されたメッセージと判断する過程と、を行うことを特徴とする。
【００２０】
前記伝送する過程は、前記第１メッセージに含まれた前記複数の着信端末機の電話番号中の任意の一つを前記第２メッセージの目的地アドレスフィールドに保存する過程と、前記任意の一つを除いた電話番号を前記第２メッセージのユーザデータフィールドの開始タグと終了タグ間に保存する過程と、前記第１メッセージの内容を、前記第２メッセージのユーザデータフィールドの終了タグの後に保存する過程と、前記第２メッセージを前記目的地アドレスフィールドに該当する着信端末機に伝送する過程と、を行うことを特徴とする。
【００２１】
また、前記移動通信端末機は、使用者からリレー伝送命令の入力を受けたとき、前記第２メッセージを伝送することを特徴とする。
【００２２】
また、前記移動通信端末機は、前記第１メッセージがリレー伝送されたメッセージであることが確認されると、使用者のリレー伝送命令なしに、前記第２メッセージの生成及びリレー伝送を自動的に行うことを特徴とする。
【００２３】
また、前記メッセージリレー伝送方法は、前記第１メッセージのユーザデータフィールドの開始タグと終了タグ間に着信端末機の電話番号が存在しないとき、前記第２メッセージのリレー伝送を終了する過程を更に行うことを特徴とする。
【００２４】
また、前記メッセージリレー伝送方法は、メッセージ内容確認命令が入力されると、前記第１メッセージのユーザデータフィールドの終了タグの後に保存されたメッセージの内容をディスプレーする過程を更に行うことを特徴とする。
【００２５】
また、前記メッセージリレー伝送方法は、伝達者目録確認命令が入力されると、前記第１メッセージのユーザデータフィールドの開始タグと終了タグ間に保存された電話番号をディスプレーする過程を更に行うことを特徴とする。
【００２６】
そして、本発明に係る移動通信端末機のリレー伝送サービスのためのメッセージは、リレー伝送のための複数の着信電話番号の開始を表示するための開始タグ、前記複数の着信電話番号、それら複数の着信電話番号の終了を表示するための終了タグ、及び該終了タグの後に保存されるメッセージの内容からなるユーザデータフィールドと、目的地アドレスフィールドと、を含んで構成されることを特徴とする。
【００２７】
また、前記ユーザデータフィールドは、前記開始タグと前記終了タグ間に位置されて、前記各着信電話番号を区分するための区分子が更に含まれることを特徴とする。
【００２８】
また、前記複数の着信電話番号は、リレー伝送される度毎に一つずつ削除されることを特徴とする。
【００２９】
また、前記目的地アドレスフィールドは、リレー伝送される度毎に前記複数の着信電話番号中何れか一つが保存されることを特徴とする。
【発明の効果】
【００３０】
本発明に係る移動通信端末機のメッセージリレー伝送方法においては、メッセージフォーマットのユーザデータフィールドに開始タグ及び終了タグを含み、それら開始タグと終了タグ間には複数の着信端末機の電話番号を保存することで、一つの着信端末機にこのようなメッセージが受信されたとき、該メッセージがリレー伝送されたメッセージであることを認識して、該メッセージを他の着信端末機にリレー伝送し得るという効果がある。
【００３１】
また、本発明は、複数の着信端末機にメッセージを伝送する場合、各着信端末機間に前記メッセージをリレー伝送することで、メッセージ伝送サービスの利用料金を複数の着信端末機に分配し得るという効果がある。
【００３２】
また、本発明は、複数の着信端末機にメッセージを伝送する場合、リレー伝送サービスという新しい概念のメッセージ伝送サービスを使用者に提供し得るという効果がある。
【発明を実施するための最良の形態】
【００３３】
以下、本発明の最良の実施の形態について図面に基づいて説明する。
【００３４】
本発明において、メッセージは、音声メッセージ（Ｖｏｉｃｅ  Ｍｅｓｓａｇｅ）、短文メッセージ（Ｓｈｏｒｔ  Ｍｅｓｓａｇｅ）、長文メッセージ（Ｌｏｎｇ  Ｍｅｓｓａｇｅ）及びマルチメディアメッセージ（Ｍｕｌｔｉｍｅｄｉａ  Ｍｅｓｓａｇｅ）中何れか一つのメッセージを含む。
【００３５】
図１は、メッセージ伝送サービスのための、一般の移動通信システムの構成を示したブロック図で、図示されたように、一般の移動通信システムは、移動中にメッセージを送信及び受信するための各移動通信端末機１０、１１と、前記各移動通信端末機１０、１１と無線通信するための各基地局２０、２１と、前記各基地局２０、２１を制御するための第１及び第２基地局制御器３０、３１と、前記第１及び第２基地局制御器３０、３１を通して伝送される呼を交換する交換局４０と、前記交換局４０に連結され、前記各移動通信端末機１０、１１にメッセージ伝送サービスを提供するためのメッセージセンター（Ｍｅｓｓａｇｅ  Ｃｅｎｔｅｒ；ＭＣ）５０と、を含んで構成されている。
【００３６】
以下、このように構成された一般の移動通信システムのメッセージ伝送サービス動作を説明する。
【００３７】
移動通信端末機１０から発信されたメッセージは、基地局２０、第１基地局制御器３０及び交換局４０を経由してメッセージセンター５０に伝送される。その後、該メッセージセンター５０は、前記発信されたメッセージに含まれた着信端末機の電話番号に基づいて着信移動通信端末機の位置を確認した後、該着信移動通信端末機に前記メッセージを着信させるため、該着信移動通信端末機の状態によって前記メッセージを処理する。即ち、前記メッセージセンター５０は、前記着信移動通信端末機が着信可能状態であると、前記メッセージを交換局４０を通して該着信移動通信端末機に伝送し、前記着信移動通信端末機が電源オフ状態であるか、又はサービス領域を離れていると、前記メッセージを保存した後、設定された時間毎に前記メッセージの伝送を試みる。
【００３８】
一方、複数の着信端末機に同一のメッセージを伝送する場合、本発明は、複数の着信端末機間にメッセージをリレー伝送する方法を提案する。
【００３９】
まず、リレー伝送サービスのためのメッセージを生成及び発信する動作について説明する。
【００４０】
図２は、本発明に係るメッセージリレー伝送サービスのためのメッセージ生成方法を示したフローチャートである。
【００４１】
複数の着信端末機にメッセージを伝送する場合、発信端末機は、使用者（発信端末機の使用者）からメッセージ及び複数の着信端末機の電話番号の入力を受け、それら入力された電話番号中何れか一つに該当する着信端末機に前記メッセージをリレー伝送する。
【００４２】
複数の着信端末機にメッセージを伝送するとき、発信端末機の使用者は、同報伝送サービス及びリレー伝送サービス中何れか一つを選択する。その選択は、発信端末機のキーパッドに具備された特定のキー又はソフトキーの入力により行われる。
【００４３】
リレー伝送サービスが選択され（Ｓ１０）、使用者から複数の着信端末機の電話番号及びメッセージの内容が入力されると、発信端末機は、それら入力された着信端末機の電話番号中何れか一つを、メッセージ伝送サービスのためのメッセージフォーマットの目的地アドレスフィールドに保存し、残りの電話番号及びメッセージの内容を、前記メッセージフォーマットのユーザデータフィールドに保存する（Ｓ１２〜Ｓ１８）。
【００４４】
図３は、本発明に係るメッセージリレー伝送のためのユーザデータフィールドの構造を示した説明図で、図中、ＳＮ（Ｓｔａｒｔ  Ｎｕｍｂｅｒ）は、リレー伝送対象である複数の着信端末機の電話番号の開始を表示するための開始タグ、ＥＮ（Ｅｎｄ  Ｎｕｍｂｅｒ）は、前記複数の電話番号の終了を表示するための終了タグ、ＤＮ（Ｄｉｓｃｒｉｍｉｎａｔｅ  Ｎｕｍｂｅｒ）は、前記ＳＮとＥＮ間に保存された各電話番号を区分するための区分子をそれぞれ示したものである。
【００４５】
発信端末機は、複数の着信端末機の電話番号中何れか一つ、例えば、最初入力された着信端末機（第１着信端末機）の電話番号をメッセージフォーマットの目的地アドレス（ｄｅｓｔｉｎａｔｉｏｎ  ａｄｄｒｅｓｓ；図３には図示せず）フィールドに保存し、残りの電話番号をユーザデータフィールド１００のＳＮとＥＮ間に保存する（Ｓ１２、Ｓ１４）。ここで、それらＳＮとＥＮ間に保存された電話番号間には、ＤＮがそれぞれ存在する。即ち、Ｎｕｍｂｅｒ１、Ｎｕｍｂｅｒ２、Ｎｕｍｂｅｒ３、Ｎｕｍｂｅｒ４及びＮｕｍｂｅｒ５にメッセージをリレー伝送しようとする場合に、Ｎｕｍｂｅｒ１は、メッセージフォーマットの目的地アドレスフィールドに保存され、Ｎｕｍｂｅｒ２〜Ｎｕｍｂｅｒ５は、ユーザデータフィールド１００のＳＮとＥＮ間に保存される。次いで、発信端末機は、入力されたメッセージの内容をユーザデータフィールド１００のＥＮの後に保存することで（Ｓ１６、Ｓ１８）、メッセージの生成を完了する。
【００４６】
その後、使用者からメッセージ伝達命令が入力されると、発信端末機は、目的地アドレスフィールドに保存された着信端末機の電話番号に前記生成されたメッセージを伝送する（Ｓ２０、Ｓ２２）。このとき、ＭＭＳのマルチメディアメッセージの場合は、ＷＡＰ（Ｗｉｒｅｌｅｓｓ  Ａｐｐｌｉｃａｔｉｏｎ  Ｐｒｏｔｏｃｏｌ）を利用してリレーされる。
【００４７】
ここで、発信端末機は、一つのメッセージを最初入力された着信端末機に伝送したので、発信端末機の使用者は、一つのメッセージ伝送サービスの利用料金を支払うようになる。
【００４８】
参考として、例えば、ＳＭＳのメッセージの場合、ユーザデータフィールドの長さが１４０バイトに設定される。ユーザデータフィールドに保存すべき着信端末機の電話番号（着信電話番号）が多いか、又はメッセージの内容が長いと、それら着信電話番号及びメッセージの内容は一つのメッセージフォーマットに保存することができない。よって、次のメッセージのユーザデータフィールドに残りの着信電話番号及びメッセージの内容を保存する。且つ、各メッセージのヘッダーには、メッセージ全体の個数及び現在メッセージの番号が含まれる。
【００４９】
次に、リレー伝送サービスのためのメッセージが一つの着信端末機に受信された後、他の着信端末機に伝送される動作について説明する。
【００５０】
図４は、本発明に係るメッセージリレー伝送方法を示したフローチャートである。
【００５１】
リレー伝送されたメッセージを受信した着信端末機は、次の着信端末機に前記メッセージをリレー伝送する。このとき、前記伝送されたメッセージは、残りの着信端末機の電話番号を含む。
【００５２】
メッセージが受信されると（Ｓ３０）、第１着信端末機は、受信されたメッセージのユーザデータフィールドの開始タグ（ＳＮ）があるかを確認して、前記受信されたメッセージがリレー伝送されたメッセージであるかを確認する（Ｓ３２）。
【００５３】
次いで、第１着信端末機は、前記受信されたメッセージがリレー伝送されたメッセージでないと、該受信されたメッセージを一般のメッセージ（ＶＭＳ、ＳＭＳ、ＬＭＳ、ＥＭＳ及びＭＭＳ中何れか一つ）として認識し、一般のメッセージの処理方法により処理する（Ｓ３４、Ｓ３６）。
【００５４】
反面、前記受信されたメッセージがリレー伝送されたメッセージであると、第１着信端末機は、使用者のメッセージ内容確認命令を待ち、使用者からメッセージ内容確認命令が入力されると、前記受信されたメッセージのユーザデータフィールドのＥＮの後に記録されているメッセージの内容をディスプレーする（Ｓ３８、Ｓ４０、Ｓ４２）。
【００５５】
その後、使用者から伝達者目録ディスプレー命令が入力されると、前記第１着信端末機は、ユーザデータフィールドのＳＮとＥＮ間に保存されている各電話番号をディスプレーする（Ｓ４４、Ｓ４６）。
【００５６】
その後、前記第１着信端末機は、使用者からメッセージ伝達中止命令が入力されると、リレー伝送を終了し（Ｓ４８）、使用者からメッセージ伝達命令が入力されると、使用者によりリレー伝送が選択されたかを確認する。このとき、リレー伝送が選択されていないと、前記第１着信端末機は、メッセージ伝送を終了する（Ｓ５０）。
【００５７】
反面、使用者によりリレー伝送が選択されていると、前記第１着信端末機は、前記受信されたメッセージを利用して伝送メッセージを生成した後、該伝送メッセージを他の着信端末機に伝送する。即ち、前記第１着信端末機は、前記受信されたメッセージのＳＮとＥＮ間に保存されている電話番号中、最初の電話番号を目的地アドレスフィールドに保存し、残りの電話番号は前記ＳＮとＥＮ間に維持し、前記メッセージの内容もＥＮの後に維持することで、伝送メッセージを生成し、該生成された伝送メッセージを伝送する（Ｓ５２）。図３のユーザデータフィールド１００を有するメッセージが受信された前記第１着信端末機の電話番号がＮｕｍｂｅｒ１の場合、該第１着信端末機は、Ｎｕｍｂｅｒ２の第２着信端末機にユーザデータフィールド１０１を有するメッセージをリレー伝送する。
【００５８】
一方、前記第１着信端末機にリレー伝送によりメッセージが受信されると、該第１着信端末機は、メッセージをリレー伝送するための使用者の命令なしに、前記受信されたメッセージを前記第２着信端末機に自動的にリレー伝送することができる。
【００５９】
このように、前記第１着信端末機は、第２着信端末機に一つのメッセージを伝送したので、一つのメッセージ伝送サービスの利用料金を支払う。
【００６０】
従って、本発明は、複数の着信端末機間にメッセージをリレー伝送することで、サービス利用料金を複数の着信端末機に分配することができる。
【００６１】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００６２】
【図１】メッセージ伝送サービスのための、一般の移動通信システムの構成を示したブロック図である。
【図２】本発明に係るメッセージリレー伝送サービスのためのメッセージ生成方法を示したフローチャートである。
【図３】本発明に係るメッセージリレー伝送のためのユーザデータフィールドの構造を示した説明図である。
【図４】本発明に係るメッセージリレー伝送方法を示したフローチャートである。
【図１】
2004350277.tif 000003
【図２】
2004350277.tif 000004
【図３】
2004350277.tif 000005
【図４】
2004350277.tif 000006